(57)【要約】【課題】部品点数の削減に有利となる照明器具を提供する。【解決手段】照明器具は、灯具本体に電力を供給する電線５と、一端が固定面に固定され、他端が灯具本体に固定され、内部に電線５を通過させ、かつ、内部と外部とで貫通する切り欠き７ａを有するパイプ７と、切り欠き７ａを通じて外部から電線５に接触し、電線５を押圧する固定具８とを有する。【選択図】図３
2018101529.tif 000002
【特許請求の範囲】
【請求項１】
灯具本体を有する吊り下げ型の照明器具であって、
前記灯具本体に電力を供給する電線と、
一端が固定面に固定され、他端が前記灯具本体に固定され、内部に前記電線を通過させ、かつ、内部と外部とで貫通する切り欠きを有するパイプと、
前記切り欠きを通じて外部から前記電線に接触し、前記電線を押圧する固定具と、
を有する照明器具。
【請求項２】
前記固定具は、
前記パイプの外周面の形状に合わせて湾曲する湾曲部と、
前記湾曲部に対向し、前記電線に接触する平板部と、
を含む、請求項１に記載の照明器具。
【請求項３】
前記湾曲部と前記平板部とは、互いに連接している、請求項２に記載の照明器具。
【発明の詳細な説明】
【技術分野】
【０００１】
本発明は、吊り下げ型の照明器具に関する。
【背景技術】
【０００２】
従来、天井に配設されている配線器具から灯具本体に電力を供給するケーブルを備え、当該ケーブルにより灯具本体を吊り下げる照明器具がある。このような吊り下げ型の照明器具では、灯具本体が重力により鉛直方向に向かおうとするので、ケーブルにかかる張力を適切に受け止める必要がある。
【０００３】
これに対して、特許文献１は、電源線と口出し線との接続部分の張力止めを可能にする電源線固定具を開示している。
【先行技術文献】
【特許文献】
【０００４】
【特許文献１】特開平１１−２８３４３２号公報
【発明の概要】
【発明が解決しようとする課題】
【０００５】
照明器具には、灯具本体の他にも、ランプの光を透過させるセードや、セードを保持するカバーなどを含む。ここで、灯具本体をケーブルに保持させるときには、特許文献１に開示されているような、ケーブルが外部に露出した状態でケーブルの張力止めを行う構成は有用である。しかし、セードやカバーなどをケーブルに保持させるための固定具は、別途、必要となる。したがって、従来の照明器具では、それらの個々の機能に合わせた分の固定具が必要であった。
【０００６】
本発明は、このような従来技術の有する課題に鑑みてなされたものである。そして、本発明の目的は、部品点数の削減に有利となる照明器具を提供することにある。
【課題を解決するための手段】
【０００７】
上記課題を解決するために、本発明の態様に係る照明器具は、灯具本体を有する吊り下げ型の照明器具であって、灯具本体に電力を供給する電線と、一端が固定面に固定され、他端が灯具本体に固定され、内部に電線を通過させ、かつ、内部と外部とで貫通する切り欠きを有するパイプと、切り欠きを通じて外部から電線に接触し、電線を押圧する固定具と、を有する。
【発明の効果】
【０００８】
本発明によれば、部品点数の削減に有利となる照明器具を提供することができる。
【図面の簡単な説明】
【０００９】
【図１】本発明の一実施形態に係る照明器具の構成を示す図である。
【図２】パイプ及びケーブル固定具の形状等を示す図である。
【図３】図１のＡ−Ａ部に対応した、ケーブル固定具近傍の断面図である。
【図４】従来の照明器具の構成を示す図である。
【発明を実施するための形態】
【００１０】
以下、本実施形態について図面を参照しつつ詳細に説明する。また、以下の説明では、照明器具の吊り下げ方向すなわち鉛直方向をＺ方向と規定し、Ｚ方向に垂直となる面内で、互いに垂直となるように、Ｘ方向とＹ方向とを規定する。
【００１１】
まず、本実施形態に係る照明器具の構成について説明する。図１は、本実施形態に係る照明器具１の構成を示す概略図である。照明器具１は、室内の天井等から吊り下げられて設置される、いわゆる吊り下げ型の照明器具である。
【００１２】
照明器具１は、ＬＥＤランプ等のランプ２と、ソケット３と、ソケット台４と、ケーブル５と、カバー６と、パイプ７と、ケーブル固定具８とを含む。
【００１３】
ソケット３は、ランプ２を装着する電気部品である。ソケット台４は、ソケット３を収容して保持する、例えば円筒状の筐体である。以下、ランプ２、ソケット３及びソケット台４を含むユニットを「灯具本体」という。
【００１４】
ケーブル５は、一端がソケット３に接続され、他端が天井等に設けられている配線器具に接続されて、灯具本体に対して電力を供給する電線である。また、ケーブル５は、灯具本体を天井から吊り下げる機能も有する。
【００１５】
カバー６は、セード１０と、セード１０を保持するカバー本体１１と、カバー本体１１をケーブル５側で支持する支持部材１２とを含み、灯具本体の保護や、照明器具１の装飾としての機能を有する。セード１０は、例えば樹脂やガラス製であり、ランプ２の光を透過させる。なお、図１に示す例では、セード１０の形状を直方体とし、カバー本体１１の形状を傘状としている。支持部材１２は、円筒状の部材である。特に、支持部材１２の筒内を、ケーブル５が通過する。一方、支持部材１２の外周に、カバー本体１１の頂部が固定される。
【００１６】
パイプ７は、カバー６の支持部材１２とソケット台４とを接続しつつ、壁部の内部にケーブル５を通過させる。例えば、支持部材１２の筒内にネジ切りが施され、パイプの一端の外周面にもねじ切りが施されることにより、パイプ７の一端は、固定面を有する部材としての支持部材１２に、ボルト及びナットの関係のネジ締結により固定され得る。一方、パイプ７の他端は、ソケット台４に溶接等により固定される。
【００１７】
図２は、パイプ７とケーブル固定具８との各形状等を示す斜視図である。特に、図２（ａ）は、パイプ７の形状を示す図である。パイプ７は、その壁部の内部と外部とで貫通する切り欠き７ａを有する。以下、パイプ７の延伸方向における切り欠き７ａの長さをＬ１と表記する。なお、パイプ７を断面で見たときの切り欠き７ａの開度θについては、ケーブル固定具８の説明と合わせて後述する。
【００１８】
図２（ｂ）は、パイプ７にケーブル５を通過させた状態を示す図である。このように、パイプ７の内部をケーブル５が通過している状態では、切り欠き７ａから、ケーブル５の表面の一部がパイプ７の外側に向かって現れる。
【００１９】
図２（ｃ）は、ケーブル固定具８が、ケーブル５が内部を通過しているパイプ７の切り欠き７ａに係合している状態を示す図である。ケーブル固定具８は、パイプ７の一部の外周面を覆い、かつ、その一部が、切り欠き７ａを通じてケーブル５に接触してケーブルを押圧することで、パイプ７に対して、内部にあるケーブル５の移動を妨げて固定する固定具である。
【００２０】
図３は、図１のＡ−Ａ部に対応した、ケーブル固定具８の近傍の断面図である。ケーブル固定具８は、例えば、金属製の１枚の延べ板を曲げ加工することで形成され得る。ケーブル固定具８は、曲げ加工によって分類された、湾曲部８ａと、第１平板部８ｂと、第２平板部８ｃと、第３平板部８ｄとの４つの部分を含む。
【００２１】
湾曲部８ａは、パイプ７の外周面の形状に合わせて湾曲している。第１平板部８ｂは、一方の端辺が湾曲部８ａに連接され、その端辺に対向する他方の端辺が後述の第２平板部８ｃに連接される。特に、ケーブル固定具８がパイプ７に設置されたとき、第１平板部８ｂの内側の主平面は、パイプ７の内部にあるケーブル５に接触する。第２平板部８ｃは、上記のとおり１つの端辺が第１平板部８ｂに連接され、例えば１つの貫通する第１ネジ穴８ｃ１を有する。また、第３平板部８ｄは、１つの端辺が湾曲部８ａに連接され、例えば１つの貫通する第２ネジ穴８ｃ２を有する。ケーブル固定具８がパイプ７に設置されたとき、第２平板部８ｃと第３平板部８ｄとは、それぞれ向かい合って平面で接触する。また、第１ネジ穴８ｃ１と第２ネジ穴８ｃ２とは、第２平板部８ｃと第３平板部８ｄとが接触しているときに位置が合うように、予め形成されている。
【００２２】
ケーブル固定具８は、このように第１平板部８ｂがパイプ７の切り欠き７ａを通じてパイプ７の内部にあるケーブル５に接触できなければならない。そのため、パイプ７の延伸方向であるＺ方向に関するケーブル固定具８の板幅をＬ１とすると、切り欠き７ａのＺ方向の長さＬ２は、板幅Ｌ１よりも大きい。具体的には、例えば、切り欠き７ａの長さＬ２は、（ケーブル固定具８の板幅Ｌ１）＋０．１ｍｍ程度であってもよい。
【００２３】
また、ケーブル固定具８は、第２平板部８ｃと第３平板部８ｄとが互いに離れる方向に変形可能とする可撓性を有する。すなわち、パイプ７にケーブル固定具８を取り付ける際には、ケーブル固定具８は、第２平板部８ｃと第３平板部８ｄとの間を柔軟に広げながら、その内側にパイプ７を配置させることができる。そして、ケーブル固定具８の内側にパイプが配置させた後には、第２平板部８ｃと第３平板部８ｄとが近接する位置まで戻り、ケーブル固定具８は、元の形状に戻る。
【００２４】
次に、パイプ７とケーブル固定具８との作用について説明する。
【００２５】
照明器具１の組み立て作業において、特にケーブル５がパイプ７の内部の適切な位置に配置されている状態で、作業者は、パイプ７の切り欠き７ａが形成されている位置にケーブル固定具８を嵌め込む。次に、作業者は、締結部材としてのネジ９を第１ネジ穴８ｃ１と第２ネジ穴８ｃ２とに係合させて締め付ける。この作業により、ケーブル５は、図３に示すように、一方の表面が、外側を湾曲部８ａに押さえられているパイプ７の内側に接触しつつ、その一方の表面に対向する他方の表面が、第１平板部８ｂにより押圧されることになる。これにより、ケーブル５は、元の形状から深さｄ分だけ潰されるので、パイプ７での設置位置に対して移動不能となる。
【００２６】
ここで、上記の作用について換言すれば、ケーブル固定具８の第１平板部８ｂは、ケーブル５がパイプ７での設置位置に対して移動不能となる程度に、ケーブル５を確実に潰すことができなければならない。そのため、図３に示すように、パイプ７を断面で見たときの切り欠き７ａの開度θは、ケーブル固定具８がケーブル５を確実に潰している状態でも、ケーブル固定具８と切り欠き７ａの開口端が接触しない程度に、予め設定されることが望ましい。
【００２７】
次に、本実施形態に係る照明器具１の効果について説明する。
【００２８】
まず、ケーブル５は、灯具本体に接続されているので、単にこの構成だけを考えれば、灯具本体は、重力によりケーブル５の張力を受ける。これに対して、本実施形態では、図１に示すように、灯具本体に含まれるソケット台４は、パイプ７の一端に固定されている。また、ケーブル５は、パイプ７とケーブル固定具８との作用により、パイプ７に対して移動不能である。さらに、このときのケーブル固定具８の第１平板部８ｂは、図２（ｃ）に示すように、切り欠き７ａの開口端に引っ掛かるので、パイプ７に対するケーブル固定具８のＺ方向の移動も規制される。したがって、パイプ７とケーブル固定具８との組み合わせは、ケーブル５の張力を受ける、すなわち、灯具本体に係るケーブル５の張力を止めるという機能を有することになる。
【００２９】
一方、上記のとおり、カバー６は、支持部材１２を介してパイプ７の他端に支持される。そして、パイプ７は、パイプ７とケーブル固定具８との作用により、ケーブル５に対して移動不能である。したがって、パイプ７とケーブル固定具８との組み合わせは、カバー６を支持する機能も有することになる。
【００３０】
したがって、本実施形態によれば、パイプ７とケーブル固定具８との２つの構成要素のみで、ケーブル５の張力止めとカバー６の支持とを行うことができる。
【００３１】
ここで、本実施形態の効果の優位性を示すために、参考として、従来の照明器具について説明する。
【００３２】
図４は、従来の照明器具２０の構成を示す概略図である。特に、図４（ａ）は、本実施形態に係る図１に対応した図である。図４（ｂ）は、ケーブル５の張力止めとして作用する構成要素群をＢ方向から見た矢視図である。なお、図４では、本実施形態に係る照明器具１の構成と同一のものには同一の符号を付し、説明を省略する。
【００３３】
まず、カバー６を支持する構成として、カバー６は、本実施形態における支持部材１２に代えて、単に内部にケーブル５を通過させる円筒状の支持部材２１を有する。なお、支持部材２１によるカバー本体１１の固定方法については、本実施形態と同様である。
【００３４】
また、照明器具２０は、ソケット台固定板２２と、複数の第１継ぎ手２３と、ソケット台固定ネジ２４とを有する。ソケット台固定板２２は、ソケット台４の端面に固定された部材である。第１継ぎ手２３は、一部が予めカバー本体１１に固定され、他の一部がソケット台固定板２２の一部に接触する金具である。ソケット台固定ネジ２４は、ソケット台固定板２２を複数のソケット台固定板２２に固定するための締結部材である。
【００３５】
このような構成により、灯具本体とカバー６とは、互いに支持される。しかし、従来の構成においても、ケーブル５は、灯具本体に接続されているので、この構成だけでは、灯具本体にかかるケーブル５の張力を止めることができない。そこで、照明器具２０は、さらに、ケーブル５の張力止めとして機能する、ケーブル固定具２５と、第２継ぎ手２６と、ケーブル固定ネジ２７とを有する。
【００３６】
ケーブル固定具２５は、ケーブル５の形状に合わせて湾曲する部位を有し、板体を曲げ加工して形成される。第２継ぎ手２６は、断面Ｌ字形に形成された金具である。第２継ぎ手２６の一方の平板部は、ソケット台固定板２２の表面上に予め固定され、他方の平板部は、ケーブル５を挟んでケーブル固定具２５に対向する。ケーブル固定ネジ２７は、ケーブル固定具２５と第２継ぎ手２６とに予め形成されている不図示のネジ穴に挿入され、ケーブル固定具２５と第２継ぎ手２６とを締結するための締結部材である。
【００３７】
このような構成により、ケーブル５は、ケーブル固定具２５と、灯具本体側に固定された第２継ぎ手２６とにより挟まれるので、ケーブル固定具２５に対するＺ方向の移動が規制される。したがって、ケーブル固定具２５と第２継ぎ手２６との組み合わせは、ケーブル５の張力を受ける、すなわち、灯具本体に係るケーブル５の張力を止めるという機能を有することになる。
【００３８】
このように、照明器具２０は、ケーブル５の張力止めの機能を有する構成と、カバー６を支持する機能を有する構成とを有する。しかし、照明器具２０の構成では、それらの機能を有する構成は、それぞれ独立しており、部品点数もそれに合わせて多くなる。これに対して、本実施形態によれば、これらの機能を有する構成としては、パイプ７とケーブル固定具８との２つの構成要素のみでよいので、これらの機能を限定することなく、照明器具１の部品点数を従来よりも削減することができる。
【００３９】
以上のように、本実施形態によれば、部品点数の削減に有利となる照明器具を提供することができる。
【００４０】
なお、上記説明では、ケーブル固定具８の第２平板部８ｃと第３平板部８ｄとを固定する構成として、ネジ９を用いる場合を例示した。しかし、本実施形態は、このような構成に限定されない。例えば、第２平板部８ｃの一部に貫通孔を設け、第３平板部８ｄの一部に、第２平板部８ｃの貫通孔に係合可能とする突起部を設けることで、第２平板部８ｃと第３平板部８ｄとを係合により固定する構成もあり得る。
【００４１】
また、上記説明では、金属製の１枚の延べ板を曲げ加工して形成されるケーブル固定具８を例示した。しかし、本実施形態は、これに限らず、２枚の板体を適宜曲げ加工して形成し、一方の板体がパイプ７の切り欠き７ａにかかるようにしつつ、２つの板体でケーブル５を挟み込むようなケーブル固定具もあり得る。ただし、この形態では、ケーブル固定具の部品点数が２点となるため、部品点数の削減の観点では、上記説明したケーブル固定具８の方が有利である。
【００４２】
また、上記説明では、ケーブル固定具８等を構成する材料を金属製としているが、例えば、ケーブル５の張力を好適に止め得る強度や経時劣化などの種々の条件を満たすことが可能であれば、樹脂材等であってもよい。
【００４３】
以上、好ましい実施形態について説明したが、本実施形態は、これ限定されず、その要旨の範囲内で種々の変形及び変更が可能である。
【符号の説明】
【００４４】
１      照明器具
２      ランプ（灯具本体）
５      ケーブル（電線）
７      パイプ
８      ケーブル固定具（固定具）
【図１】
2018101529.tif 000003
【図２】
2018101529.tif 000004
【図３】
2018101529.tif 000005
【図４】
2018101529.tif 000006